(57)【要約】【課題】キャップ付容器において、容器の吐出口部及びスクリューキャップのピン部が偏心位置にある場合にでも、吐出口部にピン部を挿入できるようにすること。【解決手段】容器には首部にオネジ部を形成し、首部を閉鎖板部で塞ぎ、閉鎖板部の偏心位置に吐出口部を形成する。スクリューキャップには、キャップ本体と、キャップ本体に回転可能に支持されるピン台を備える。ピン台は、キャップ本体の軸線を中心にして回転可能に支持された台部と、台部の偏心位置から下方に突出すると共に吐出口部の内側に嵌合するピン部とを備えるものとする。そして閉鎖板部に対してピン台を相対的に回転不能に規制する上側及び下側規制部をピン台と閉鎖板部の双方の対向面に分けて備えるものとする。また上側及び下側規制部は、キャップ本体を閉める方向に回してから吐出口部とピン部とが嵌合する位置関係となった場合に衝突するものとする。【選択図】      図１
2015157640.tif 000002
【特許請求の範囲】
【請求項１】
首部、首部に形成されたオネジ部、首部を塞ぐ閉鎖板部、閉鎖板部の偏心位置に形成された吐出口部を含む容器と、
首部の外周を囲む側壁部、側壁部に形成されたメネジ部、側壁部の上端部を塞ぐ天板部を含むキャップ本体と、並びに天板部の下側において回転可能に支持されるピン台とを有するスクリューキャップとを備え、
ピン台は、キャップ本体の軸線を中心にして回転可能に支持された台部と、台部の偏心位置から下方に突出すると共に吐出口部の内側に嵌合するピン部とを備え、
閉鎖板部に対してピン台を相対的に回転不能に規制する上側及び下側規制部をピン台と閉鎖板部の双方の対向面に分けて備え、
上側及び下側規制部は、キャップ本体を閉める方向に回してから吐出口部とピン部とが嵌合する位置関係となった場合に衝突するものであることを特徴とするキャップ付容器。
【請求項２】
吐出口部は、閉鎖板部の厚み方向に貫通する貫通穴部であることを特徴とする請求項１記載のキャップ付容器。
【請求項３】
上側規制部は、ピン部とは異なる偏心位置において台部から下方に突出し、
下側規制部は、貫通穴部とは異なる偏心位置において閉鎖板部から上方に突出することを特徴とする請求項２記載のキャップ付容器。
【請求項４】
上側規制部は、ピン部とは異なる偏心位置において台部から下方に突出し、
閉鎖板部の上面は凹凸形状であり、
下側規制部は、閉鎖板部のうち上方に突出する凸部であって、貫通穴部とは異なる偏心位置において少なくとも形成されていることを特徴とする請求項２記載のキャップ付容器。
【請求項５】
吐出口部は、閉鎖板部から上方に突出するノズル部であることを特徴とする請求項１記載のキャップ付容器。
【請求項６】
ノズル部は下側規制部でもあり、
上側規制部は、ピン部とは異なる偏心位置において台部からピン部よりも下方に突出するものであることを特徴とする請求項５記載のキャップ付容器。
【請求項７】
ピン台のピン部は上側規制部でもあり、
下側規制部は、ノズル部から上方に突出するものであることを特徴とする請求項５記載のキャップ付容器。
【発明の詳細な説明】
【技術分野】
【０００１】
本発明は、容器にスクリューキャップを捩じ込んで閉める形式（以後、「ネジ形式」と称する場合がある。）のキャップ付容器に関する。
【背景技術】
【０００２】
ネジ形式の一般的なキャップ付容器は、容器の首部にオネジ部を形成し、スクリューキャップの側壁にメネジ部を形成してある。また従来のキャップ付容器として、容器の首部の上端部を小径の筒状に形成し、この筒状部分を吐出口部（ノズル部）として取扱い、スクリューキャップの天板部にはノズル部の内面に嵌合する円筒状のピン部を備えたものが存在する（特許文献１）。そしてこの従来のキャップ付容器は、スクリューキャップの軸線に一致する形で、吐出口部とピン部の各中心が配置されている。
【０００３】
ちなみにネジ形式のキャップ付容器ではないが、ヒンジを用いて開閉するキャップ、いわゆるヒンジキャップの場合には、容器本体に連結するキャップ本体と、キャップ本体に対してヒンジで接合されたカバーキャップとを備え、キャップの天面の偏心位置に吐出口部として突出量の短いノズル部が形成され、カバーキャップにおける天板部の内面の偏心位置にピン部を備えるものが存在する（特許文献２）。
【先行技術文献】
【特許文献】
【０００４】
【特許文献１】特開平８−２１７１０３号公報
【特許文献２】特開平１１−４９２１８号公報
【発明の概要】
【発明が解決しようとする課題】
【０００５】
しかしながらネジ形式のキャップ付容器で、吐出口部とピン部との嵌合を採用する場合には、ピン部と吐出口部の各中心は、スクリューキャップの回転中心である軸線と一致するようにしか形成できないものであった。なぜならピン部が吐出口部に嵌合し始めてから深く嵌合するまでの間、スクリューキャップを回さなければならず、その間、ピン部を吐出口部の内部に真っ直ぐ挿入させる必要があるからである。
【０００６】
仮にキャップ付容器においても、ヒンジキャップと同様に、スクリューキャップの偏心位置にピン部を形成し、容器の偏心位置にノズル部を形成できれば、例えば内容物が液体の場合には液体を注ぎ易くなるし、或いは内容物に関係なく容器に複数の吐出口部を形成することも可能となる。更に言えば、使用によって容器内に溜まっている内容物の残量は減少していくが、ピン部及びノズル部が中心位置にある場合は、容器を上下逆さまにしなければ、最後まで内容物を排出できなかった。それに対してピン部及びノズル部が偏心位置に形成されている場合であれば、容器をある程度傾ければ、上下逆さまにしなくとも、最後まで内容物を排出できるものである。このようにピン部及びノズル部を偏心位置に形成できれば、キャップ付容器の設計が自由度の高いものとなる。
【０００７】
本発明は前記実情を考慮して創作されたものであり、その目的はキャップ付容器において、容器の吐出口部及びスクリューキャップのピン部が偏心位置にある場合にでもスクリューキャップを回して閉めれば、吐出口部にピン部を挿入できるようにすることである。
【課題を解決するための手段】
【０００８】
本発明のキャップ付容器は、容器とスクリューキャップとを備える。そして容器は、首部、首部に形成されたオネジ部、首部を塞ぐ閉鎖板部、閉鎖板部の偏心位置に形成された吐出口部を含むものである。またスクリューキャップは、キャップ本体と、キャップ本体に回転可能に支持されるピン台とを備える。キャップ本体は、首部の外周を囲む側壁部、側壁部に形成されたメネジ部、側壁部の上端部を塞ぐ天板部を含むものである。またピン台は台部とピン部とを備える。台部は、キャップ本体の下側においてキャップ本体の軸線を中心にして回転可能に支持される。またピン部は、台部の偏心位置から下方に突出すると共に吐出口部の内側に嵌合する。そして閉鎖板部に対してピン台を相対的に回転不能に規制する為に、上側及び下側規制部をピン台と閉鎖板部の双方の対向面に分けて備え、上側及び下側規制部は、キャップ本体を閉める方向に回してから吐出口部とピン部とが嵌合する位置関係となった場合に衝突するものである。
【０００９】
吐出口部は、（１）閉鎖板部の厚み方向に貫通する貫通穴部とする構成がある。この（１）の構成の場合、より詳しくは次の（２）、（３）の構成を採用することができる。
（２）上側規制部は、ピン部とは異なる偏心位置において台部から下方に突出し、下側規制部は、貫通穴部とは異なる偏心位置において閉鎖板部から上方に突出する構成である。（３）上側規制部は、ピン部とは異なる偏心位置において台部から下方に突出する構成の点については（２）と同様であり、（２）と相違するのは、閉鎖板部の上面は凹凸形状であり、下側規制部は、閉鎖板部のうち上方に突出する凸部であって、貫通穴部とは異なる偏心位置において少なくとも形成されている構成である。
【００１０】
また吐出口部は、（４）閉鎖板部から上方に突出するノズル部とする構成がある。この（４）の構成の場合、より詳しくは次の（５）、（６）の構成を採用することができる。
（５）ノズル部は下側規制部でもあり、上側規制部は、ピン部とは異なる偏心位置において台部からピン部よりも下方に突出する構成である。
（６）ピン台のピン部は上側規制部でもあり、下側規制部は、ノズル部から上方に突出する構成である。
【発明の効果】
【００１１】
本発明のキャップ付容器によれば、キャップ本体の軸線に対してピン部及び吐出口部が偏心位置にあるにも関わらず、スクリューキャップを閉める方向に回すことによって、吐出口部とピン部とが嵌合する位置関係となった場合に上側規制部と下側規制部とが衝突することから、さらにスクリューキャップを閉める方向に回すと、スクリューキャップのキャップ本体が回転するのに対し、上側規制部と下側規制部によってピン部を支えるピン台が回転を阻止され、それにより、吐出口部の内部にピン部が嵌合する。
【図面の簡単な説明】
【００１２】
【図１】（ａ）図は本発明の第１実施形態のキャップ付容器を示す断面図、（ｂ）図はスクリューキャップの一部を切除した断面を含む第１実施形態のキャップ付容器を示す斜視図である。
【図２】（ａ）（ｂ）（ｃ）図は第１実施形態のキャップ付容器の開状態、途中状態、閉状態を示す平面図であり、（Ａ）（Ｂ）（Ｃ）図は（ａ）（ｂ）（ｃ）図の各図に対応する断面図である。
【図３】第１実施形態のキャップ付容器のスクリューキャップの変形例を示す断面図である。
【図４】（ａ）図は本発明の第２実施形態のキャップ付容器の開状態を示す平面図であり、（Ａ）図は（ａ）図に対応する断面図である。
【図５】本発明の第３実施形態のキャップ付容器を示す斜視図である。
【図６】（ａ）（ｂ）（ｃ）図は第３実施形態のキャップ付容器の開状態、途中状態、閉状態を示す平面図であり、（Ａ）（Ｂ）（Ｃ）図は（ａ）（ｂ）（ｃ）図の各図に対応する断面図である。
【図７】本発明の第４実施形態のキャップ付容器を示す斜視図である。
【図８】（ａ）（ｂ）（ｃ）図は第４実施形態のキャップ付容器の開状態、途中状態、閉状態を示す平面図であり、（Ａ）（Ｂ）（Ｃ）図は（ａ）（ｂ）（ｃ）図の各図に対応する断面図である。
【図９】本発明の第５実施形態のキャップ付容器を示す斜視図である。
【図１０】（ａ）（ｂ）（ｃ）図は第５実施形態のキャップ付容器の開状態、途中状態、閉状態を示す平面図であり、（Ａ）（Ｂ）（Ｃ）図は（ａ）（ｂ）（ｃ）図の各図に対応する断面図である。
【発明を実施するための形態】
【００１３】
図１に示すように本発明の第１実施形態のキャップ付容器１は、容器２と、スクリューキャップ３とから構成され、容器２の首部４３にスクリューキャップ３を捩じ込んで取り付けるものである。
【００１４】
また容器２は、内容物を収容する容器本体４と、容器本体４の首部４３の開口を塞ぐ内蓋５とから構成される。
【００１５】
容器本体４は、上下方向に延長する筒状の胴部４１と、胴部４１の上端からその内径が狭まる方向に突出する肩部４２と、肩部４２の内周部から上方へ向かって突出する円筒状の首部４３と、首部４３の外面全周に亘って螺旋状に突出して形成されたオネジ部４４と、胴部４１の下端における開口を閉鎖する底部（図示略）を有する。なお図では胴部４１はその上部のみを示している。
【００１６】
内蓋５は、首部４３（より詳しくは首部４３の上部、すなわち口部）の開口を塞ぐ閉鎖板部５１と、閉鎖板部５１の外周よりも半径方向内側から同心状に下方に突出する円筒状の連結部５２と、閉鎖板部５１に形成された１つの吐出口部５３を備える。閉鎖板部５１は、首部４３の上端面に載る円盤状であって、その外径は首部４３の外径と略同じにしてある。連結部５２の外径は、首部４３の内径にほぼ一致するように形成され、それによって連結部５２が首部４３の半径方向内側に嵌合することになる。吐出口部５３は閉鎖板部５１の厚み方向を貫通する貫通穴部５３ａであり、貫通穴部５３ａの中心はスクリューキャップ３の軸線Ｏとは外れた位置、つまり偏心位置に配置されている。ちなみに貫通穴部５３ａは、円形状に形成されている。
【００１７】
スクリューキャップ３は、首部４３の半径方向外側に取り付けるキャップ本体６と、キャップ本体６に回転可能に支持されるピン台７とから構成される。
【００１８】
キャップ本体６は、首部４３の外周を囲む円筒状の側壁部６１と、側壁部６１の内周全周に亘って螺旋状に突出して形成されたメネジ部６２と、側壁部６１の上端部に形成される円形の開口をその円周全周に亘って連続する形で塞ぐ円盤状の天板部６３と、キャップ本体６の軸線Ｏを中心にして回転可能にピン台７を支持する支持部６４とを備える。
【００１９】
支持部６４は、天板部６３の半径方向内側から同心状に下方に突出する円筒状の横支持部６４ａと、横支持部６４ａの下部から全周に亘ってその半径方向内側に突出する円環状の下支持部６４ｂとを備えている。支持部６４の半径方向内側にはピン台７を収容する収容空間が形成され、収容空間の下方は開口し、収容空間の上方は天板部６３によって塞がれている。
【００２０】
ピン台７は、円盤状の台部７１と、台部７１の偏心位置から下方に突出するピン部７２とを備える。
【００２１】
台部７１の外径は横支持部６４ａの内径よりも僅かに小さな寸法とし、台部７１の高さ寸法は、下支持部６４ｂに支持された台部７１の上面と天板部６３の下面との間に僅かに隙間が形成される寸法とする。このような寸法を採用することにより、ピン台７はキャップ本体６に回転可能に支持される。
【００２２】
ピン部７２は、吐出口部５３としての貫通穴部５３ａに嵌合する形状として円柱状としてある。またピン部７２の偏心量は、貫通穴部５３ａの偏心量と同じものとしてある（図２（ａ）参照）。言い換えれば台部７１の中心とピン部７２の中心との距離（ピン部７２の偏心量）は、閉鎖板部５１の中心と貫通穴部５３ａの中心との距離（吐出口部５３の偏心量）に一致するものとしてある。
【００２３】
ピン台７は支持部６４によってキャップ本体６に支持されているので、キャップ本体６とピン台７とから構成されるスクリューキャップ３を単独で回せば、通常その回転量に見合った分だけピン台７もキャップ本体６と一緒に回転する。しかしながらスクリューキャップ３を閉めて容器２に取り付ける際に、キャップ本体６が回りながらもピン台７を回転しないように規制する為、言い換えればキャップ本体６が回りながらも容器２の内蓋５に対してピン台７を相対的に回転不能に規制する為に、上側規制部８及び下側規制部９がピン台７と内蓋５の双方の対向面に分けて形成されている。
【００２４】
上側規制部８は、棒状物であり、ピン台７の台部７１から下方に突出し、下方への突出長Ｈ１をピン部７２の下方への突出長Ｐ１よりも短いものとしてある（図２(ａ)参照）。つまりＨ１＜Ｐ１であり、従って上側規制部８はピン部７２よりも下方に突出している。また上側規制部８は、ピン台７の台部７１においてピン部７２とは異なる偏心位置に形成されており、図示の例ではピン部７２よりも偏心量の大きな位置、より詳しく言えば台部７１の中心に対してピン部７２よりも半径方向に離れた位置に形成されている。
【００２５】
下側規制部９も、棒状物であり、閉鎖板部５１から上方に突出し、上方への突出長をＨ２とする。また下側規制部９は、閉鎖板部５１において貫通穴部５３ａとは異なる偏心位置であって上側規制部８に対応する偏心位置に形成されており、その偏心量は、上側規制部８の偏心量と同じにしてある（図２（ａ）参照）。
【００２６】
またスクリューキャップ３を閉めて容器２に取り付けていく途中で、上側規制部８と下側規制部９は衝突するものであり、互いに衝突面を有している。そして図２（ｂ）に示すように平面視して上側規制部８の衝突面と軸線Ｏとピン部７２の中心とを結んだ線分で形成されるピン台側の交差角度（スクリューキャップ３を閉じる方向に回した際に当該衝突面からピン部７２へ向かう方向に形成される交差角度）Ｒ°と、下側規制部９の衝突面と軸線Ｏと貫通穴部５３ａの中心とを結んだ線分で形成される閉鎖板部側の交差角度（スクリューキャップ３を閉じる方向に回した際に当該衝突面から貫通穴部５３ａへ向かう方向に形成される交差角度）Ｔ°とは、一致している。
つまりＲ＝Ｔの関係式で表される。
【００２７】
さらに図２（ａ）、（Ａ）は、スクリューキャップ３を閉め始める段階、つまりスクリューキャップ３を容器本体４の首部４３の上に被せただけであり、オネジ部４４とメネジ部６２との嵌合が始まる直前の段階（オネジ部４４とメネジ部６２が噛み合う最初の段階）を示している。この段階において、平面視して、上側規制部８の衝突面（スクリューキャップ３を回転する方向のうち閉じる方向の面）とスクリューキャップ３の軸線Ｏとを結ぶ線分と、軸線Ｏと下側規制部９の衝突面とを結ぶ線分とで形成される角度であって、スクリューキャップ３を閉じる際に上側規制部８が下側規制部９の方へ向かう方向に形成される角度α°は、ピン部７２の中心と軸線Ｏとを結ぶ線分と、軸線Ｏと貫通穴部５３ａの中心とを結ぶ線分とで形成される角度であって、スクリューキャップ３を閉じる際にピン部７２が貫通穴部５３ａの方へ向かう方向に形成される角度β°と一致している。
つまりα＝βの関係式で表される。
これはピン台側の交差角度Ｒ°と閉鎖板部側の交差角度Ｔ°とが一致していることに起因する。ちなみに図示の例では、オネジ部４４とメネジ部６２とが噛み合う最初の段階で、ピン部７２の真下から貫通穴部５３ａが外れた位置に存在しており、それ故α＞０°の関係式で表されるが、ピン部７２の真下に貫通穴５３ａが存在する場合もあり、この場合α＝β＝０となる。
【００２８】
上記した本発明の第１実施形態のキャップ付容器１は、以下のようにして使用する。
図２（Ａ）に示すようにスクリューキャップ３を閉め始める段階では、上側規制部８の下端と下側規制部９の上端との間には間隔（規制部同士の上下間隔）Ｓが形成され、ピン部７２の下端と内蓋５の閉鎖板部５１の上面との間にも間隔（ピン部７２と吐出口部５３との上下間隔）Ｇが形成されている。そして規制部同士の上下間隔Ｓよりもピン部７２と吐出口部５３との上下間隔Ｇが大きい。
従ってＳ＜Ｇの関係式で表される。
【００２９】
しかもこの段階では図２（ａ）に示すように、ピン部７２と貫通穴部５３ａとは偏心量が同じであるので、互いの中心が同一円周上に位置するものとなっている。また同様に上側規制部８と下側規制部９とは偏心量が同じであるので、互いの中心が同一円周上に位置するものとなっている。
【００３０】
そして仮にスクリューキャップ３を１回転させる途中に上側規制部８と下側規制部９とが衝突すると仮定すれば、オネジ部４４とメネジ部６２が噛み合い始めてからスクリューキャップ３を回して上側規制部８と下側規制部９とが衝突するまでの回転量に相当する回転角度は、前記した角度α°と一致する。
すなわち衝突までの回転量＝α°＝β°となる。
またスクリューキャップ３をｎ回転以上回転（但しｎは０を含む自然数（０，１，２…））させることにより上側規制部８と下側規制部９とが衝突するので、
衝突までの回転量＝（α°+（ｎ×360°））となる。
また衝突までの回転量に見合ったピン部７２の降下距離を角度α、リードＬ、回転数ｎにより表せば、
衝突までのピン部７２の降下距離＝（（α°÷360°）＋ｎ）×Ｌの関係式となる。
そしてオネジ部４４とメネジ部６２とが噛み合う最初の段階でのピン部７２と吐出口部５３との上下間隔Ｇと衝突までのピン部７２の降下距離との関係は、
衝突までのピン部７２の降下距離＝（（α°÷360°）＋ｎ）×Ｌ≦Ｇの関係式で表される。この関係式より、上側規制部８と下側規制部９とが衝突してから、ピン部７２が貫通穴部５３ａに挿入されることが表される。
なおリードＬは、スクリューキャップ３を１回転させた場合に、スクリューキャップ３が軸線方向に移動する距離である。ちなみに図示の例は、オネジ部４４及びメネジ部６２が１条ネジであり、Ｌ＜Ｇとなっているものであるが、１条ネジであっても、Ｌ≧Ｇとなる例もある。
【００３１】
次に図２（ｂ）（Ｂ）に示すようにスクリューキャップ３を閉じる方向に回すと、キャップ本体６がピン台７と一緒に回転していきながら、規制部同士の上下間隔Ｓが狭くなっていくと共に、ピン部７２と吐出口部５３との上下間隔Ｇも狭くなっていく。そしてある程度回転すると、上側規制部８と下側規制部９とが衝突することになる。この衝突したときに、吐出口部５３としての貫通穴部５３ａの真上にピン部７２が配置される位置関係、つまり貫通穴部５３ａとピン部７２とが嵌合可能な位置関係となる。このときのピン部７２と吐出口部５３との上下間隔Ｇよりも、上側規制部８の突出長Ｈ１と、下側規制部９の突出長Ｈ２とは、いずれも長い。
従ってＧ＜Ｈ１、Ｇ＜Ｈ２の関係式で表される。
この関係式により、ピン部７２と吐出口部５３との上下間隔Ｇ＝０となったとき（ピン部７２の下端が閉鎖板部５１の上面と一致するとき）に、上側規制部８は下側規制部９に衝突した状態を保持したまま更に下方向に移動可能であることが分かる。
【００３２】
更にスクリューキャップ３を閉める方向に回すと、キャップ本体６は回転するが、上側規制部８と下側規制部９が衝突した状態を保持することからピン台７は回転せずにキャップ本体６の回転量に応じた分だけ単に下降することになり、貫通穴部５３ａの内部にピン部７２が徐々に接近していき、最終的に図３（ｃ）（Ｃ）に示すように、スクリューキャップ３が閉まった状態すなわちキャップ本体６が閉まった状態となる場合には、ピン部７２が貫通穴部５３ａに挿通されて嵌合し、ピン部７２の下端部が貫通穴部５３ａよりも下方に位置する状態となる。また上側規制部８と下側規制部９とが衝突してからスクリューキャップ３の更なる回転によりピン部７２が下降した距離は、上側規制部８と下側規制部９の互いの衝突面の重なり高さに一致するものとなる。
【００３３】
このように本発明の第１実施形態のキャップ付容器１は、ピン部７２と貫通穴部５３ａとがスクリューキャップ３の軸線Ｏに対して偏心位置にあるにも関わらず、スクリューキャップ３を閉める方向に回すことによって、貫通穴部５３ａとピン部７２とが嵌合可能な位置関係となった場合に上側規制部８と下側規制部９とが衝突することから、さらにスクリューキャップ３を閉める方向に回すことにより、貫通穴部５３ａの内部にピン部７２が嵌合する。また逆に閉まっているスクリューキャップ３を開ける方向に回すことによって、上側規制部８と下側規制部９とが衝突している間はピン台７と閉鎖板部５１との円周方向の相対的な位置関係は保持されているのでピン部７２が単に上昇することになり、貫通穴部５３ａからピン部７２が抜け、さらにスクリューキャップ３を開ける方向に回すことによって上側規制部８と下側規制部９の衝突面同士が離れ、ピン台７とキャップ本体６とが一緒に回転しながら、スクリューキャップ３が容器本体４の首部４３から外れる。
【００３４】
図３は、第１実施形態のキャップ付容器１のスクリューキャップ３の変形例を示すもので、より詳しくは第１実施形態のキャップ付容器１のうちピン台７をキャップ本体６で回転可能に支持する構成（支持部６４の構成）が、図１、図２で示した例と相違するものである。この例では、キャップ本体６は、その天板部６３の中心において厚み方向に貫通する支持穴６３ａが形成される構成とし、ピン台７は、台部７１の中心から軸部７３を同心状に上方に突出する構成としてある。また軸部７３の上端部は、支持穴６３ａよりも大径とし、天板部６３の上に載る部分としてある。従ってこの構成の場合、支持部６４はキャップ本体６とピン台７の双方に亘って形成され、ピン台７を天板部６３によって回転可能に支持している。
【００３５】
本発明の第２実施形態のキャップ付容器１は、図４（ａ）（Ａ）に示すように、吐出口部５３としての貫通穴部５３ａを複数備えると共に、貫通穴部５３ａの数に対応した複数のピン部７２を備えること、並びに互いに衝突し合う上側規制部８及び下側規制部９の組を複数組備えることについて、第１実施形態のキャップ付容器１と相違する。より詳しく言えば、閉鎖板部５１の偏心した位置に複数の貫通穴部５３ａが形成されると共に、スクリューキャップ３を閉じる向に回して、各組の上側規制部８と下側規制部９とが衝突した場合に、各貫通穴部５３ａの真上にピン部７２が配置されるようになっている。ちなみにこの第２実施形態のキャップ付容器１であっても、第１実施形態のキャップ付容器１で表された関係式は、維持されている。つまりＨ１＜Ｐ１、Ｓ＜Ｇ、α＝β、オネジ部４４とメネジ部６２が噛み合い始めてからスクリューキャップ３を回して上側規制部８と下側規制部９とが衝突するまでの回転量＝（α°+（ｎ×360°））、衝突までのピン部７２の降下距離＝（（α°÷360°）＋ｎ）×Ｌ≦Ｇである。
【００３６】
本発明の第３実施形態のキャップ付容器１は、図５、図６に示すように、貫通穴部５３ａを複数備えると共に、貫通穴部５３ａの数に対応した複数のピン部７２を備えること、上側規制部８の形状を棒状物ではなく板状物としたこと、上側規制部８の突出長Ｈ１よりもピン部７２の突出長Ｐ１が短いこと（Ｈ１＞Ｐ１）、並びに下側規制部９を閉鎖板部５１から突出する棒状物ではなく閉鎖板部５１の一部によって形成していることについて、第１実施形態のキャップ付容器１と相違する。
【００３７】
より詳しく言えば閉鎖板部５１は、上下方向に関して相対的に凹凸がある板形状であり、それ故その上面が凹凸形状になる。図示の例では閉鎖板部５１は、上方に突出する１つの凸部５４と、凸部５４に対して下方に落ち込んだ１つの凹部５５とにより構成されている。
【００３８】
凸部５４及び凹部５５は平面視して１つの円を二分した半円状である。そして凹部５５は、凸部５４よりも僅かに小さな平板である。
【００３９】
一方、凸部５４は、平面視して僅かに半円よりも大きな平板の凸部本体５４ａと、凸部本体５４ａのうち凹部５５との境界部分（半円状の両端を結ぶ弦部分）と凹部５５のうち凸部５４との境界部分（半円状の両端を結ぶ弦部分）とを上下に接合する板状の境界壁５４ｂと、凸部本体５４ａのうち円弧状の縁部の全周から凹部５５の下面と同じ高さまで下方に延長する延長壁５４ｃとから構成される。延長壁５４ｃの下端面と凹部５５の外周縁部の下面が容器本体４の首部４３の上端面における全周に亘って載る。
【００４０】
また凸部本体５４ａは、その上面にはスクリューキャップ３の軸線Ｏから離れた偏心位置に複数の貫通穴部５３ａを形成してある。さらに境界壁５４ｂは、上側規制部８と衝突する部分すなわち下側規制部９として機能する部分であり、貫通穴部５３ａとは異なる偏心位置において形成される。また図示の例では、下側規制部９としての境界壁５４ｂを含む凸部５４は、軸線Ｏを含む部分に形成された凸部本体５４ａをも含んでいることから、貫通穴部５３ａとは異なる偏心位置において少なくとも形成されていることになる。
【００４１】
また境界壁５４ｂに衝突する上側規制部８は、板状物であり、平面視して境界壁５４ｂの長さ中間から境界壁５４ｂの長さ方向の両側に延長する断面直線状の板状物である。
【００４２】
上記した第３実施形態のキャップ付容器１は、第１実施形態の場合と同様にして使用する。スクリューキャップ３を閉じる方向に回すと、図６（ａ）（Ａ）に示すように、スクリューキャップ３を閉め始める段階では、板状物の上側規制部８と、下側規制部９としての凸部５４（境界壁５４ｂ）とが衝突していない。さらにスクリューキャップ３を回すと、図６（ｂ）（Ｂ）に示すように上側規制部８と下側規制部９としての凸部５４（境界壁５４ｂ）とが衝突し、各貫通穴部５３ａの真上にピン部７２が配置される。そして更にスクリューキャップ３を回すことにより、図６（ｃ）（Ｃ）に示すように上側規制部８と下側規制部９の境界壁５４ｂとの衝突が維持されたままキャップ本体６のみが回転し、ピン部７２が真下に向かって貫通穴部５３ａに嵌合し、ピン部７２の下端部が貫通穴部５３ａを貫通する。ちなみに第３実施形態のキャップ付容器１においても、第１実施形態のキャップ付容器１で表された関係式は、維持されているものがある。つまりα＝β、Ｓ＜Ｇ、オネジ部４４とメネジ部６２が噛み合い始めてからスクリューキャップ３を回して上側規制部８と下側規制部９とが衝突するまでの回転量＝（α°+（ｎ×360°））、衝突までのピン部７２の降下距離＝（（α°÷360°）＋ｎ）×Ｌ≦Ｇである。
【００４３】
本発明の第４実施形態のキャップ付容器１は、図７、図８に示すように、吐出口部５３として複数（図では４つ）のノズル部５３ｂを内蓋５の閉鎖板部５１から上方に突出し、複数のノズル部５３ｂのうち任意の数（図では２つ）を下側規制部９として用いると共に、下側規制部９の数量に応じた数の上側規制部８をピン台７の台部７１から下方に突出したことについて、第１実施形態のキャップ付容器１と相違する。
【００４４】
より詳しく言えば、ノズル部５３ｂは、筒状（円筒状）に形成されている。また上側規制部８は、ピン台７の台部７１においてピン部７２とは異なる偏心位置（図示の例ではピン部７２の周囲）から下方に突出しており、上側規制部８の突出長Ｈ１はピン部７２の突出長Ｐ１よりも長くなっている（Ｈ１＞Ｐ１）。さらに言えば上側規制部８は、断面円弧状であると共に、ピン部７２の周囲であってピン部７２に嵌合した状態のノズル部５３ｂの周囲の一部に衝突する位置に形成されている。しかも上側規制部８の形成位置は、台部７１の中心（キャップ本体６の軸線Ｏ）と同心状の円周方向に関しては、ピン部７２からスクリューキャップ３を開く方向に離れた位置に形成され、ピン部７２からスクリューキャップ３を閉める方向には形成されていない。なお図示の例では、スクリューキャップ３が閉まった場合に、ノズル部５３ｂの内部における上部にのみピン部７２の下部が嵌合するものとなっている。
【００４５】
ちなみに第４実施形態のキャップ付容器１においても、第１実施形態のキャップ付容器１で表された関係式は、維持されているものがある。つまりα＝β、Ｓ＜Ｇ、オネジ部４４とメネジ部６２が噛み合い始めてからスクリューキャップ３を回して上側規制部８と下側規制部９とが衝突するまでの回転量＝（α°+（ｎ×360°））、衝突までのピン部７２の降下距離＝（（α°÷360°）＋ｎ）×Ｌ≦Ｇである。
【００４６】
本発明の第５実施形態のキャップ付容器１は図９、図１０に示すように、吐出口部５３がノズル部５３ｂであること、ピン部７２及びノズル部５３ｂがそれぞれ複数形成されていることの他に、上側規制部８がピン部７２であること、下側規制部９が内蓋５のノズル部５３ｂの上端面から上方に突出するものであることについて、第１実施形態のキャップ付容器１と相違する。
【００４７】
より詳しく言えば、下側規制部９の形成位置は、閉鎖板部５１の中心（キャップ本体６の軸線Ｏ）と同心状の円周方向に関しては、ノズル部５３ｂの上端面のうちスクリューキャップ３を閉める方向の位置に形成され、ノズル部５３ｂの上端面のうちスクリューキャップ３を開く方向には形成されていない。ちなみに図示の例では、ノズル部５３ｂが円筒状であることから、平面視した際の下側規制部９の外形は、その円筒の側面と面一の円弧状の外周部分５３ｄと、外周部分５３ｄの両端からノズル部５３ｂの円形の通路５３ｃの外周に向かう内周部分５３ｅとから構成されている。図示の例では、内周部分５３ｅは、Ｖ字状に屈曲する形となっている。
【００４８】
ちなみに第５実施形態のキャップ付容器１においても、第１実施形態のキャップ付容器１で表された関係式は、維持されているものがある。つまりα＝β、Ｓ＜Ｇ、オネジ部４４とメネジ部６２が噛み合い始めてからスクリューキャップ３を回して上側規制部８と下側規制部９とが衝突するまでの回転量＝（α°+（ｎ×360°））、衝突までのピン部７２の降下距離＝（（α°÷360°）＋ｎ）×Ｌ≦Ｇである。なお上側規制部８がピン部７２なので、Ｈ１＝Ｐ１である。
【００４９】
本発明は上記実施形態に限定されるものではなく、その趣旨を逸脱しない範囲において適宜変更可能である。例えば、オネジ部４４は、前記した実施形態では容器本体４の首部４３に形成されていたが、これに限らず、例えば内蓋５に形成するものであっても良く、この場合にはより詳しく言えば、図示しないが一例としては、内蓋５を円盤状の閉鎖板部５１と円筒状の連結部５２だけでなく、閉鎖板部５１の外周縁部から延長筒部を連結部５２と同心円状に下方に突出すると共に、延長筒部の外周面にオネジ部４４を形成し、延長筒部がオネジ部の無い容器本体４の首部４３の上に載る構成とする。またネジの作用で内蓋５がスクリューキャップ３と嵌合した場合に、スクリューキャップ３を上方に引っ張っても内蓋５の連結部５２が容器本体４の首部４３から外れないようにする為に、例えば連結部５２を首部４３よりも下方まで突出すると共に、連結部５２の下端部に鍔部を半径方向外側に突出させ、鍔部を容器本体４の首部４３の下端面に引っ掛かるようにしておけばよい。
【００５０】
またキャップ付容器１は、前記した実施形態では容器２を容器本体４と内蓋５で構成し、容器本体４の首部４３に内蓋５を取り付けているが、これに限らず、容器２を容器本体４と内蓋５とそれ以外の部品で構成しても良く、この場合にはより詳しく言えば図示しないが、例えば容器本体４と、容器本体４の首部４３に連結する筒状の連結キャップと、連結キャップに取り付ける内蓋５とで容器２を構成しても良い。この構成の場合、例えば連結キャップがメネジ部とオネジ部を備えるものとし、容器本体４の首部４３に連結キャップのメネジ部を連結し、連結キャップに対してその開口を塞ぐように内蓋５を取り付けるものとし、その場合、連結キャップを容器２の首部として用い、連結キャップのオネジ部を容器２のオネジ部として用いることになる。
【００５１】
さらにピン部７２は、前記実施形態では中実の柱状であるが、これに限らず、中空の柱状、ようするに筒状であっても良い。なお容器２の首部４３やスクリューキャップ３に形成されるオネジ部４４やメネジ部６２は、１条ネジであっても多条ネジであっても良い。
【符号の説明】
【００５２】
１  キャップ付容器
２  容器
３  スクリューキャップ
４  容器本体
４１  胴部
４２  肩部
４３  首部
４４  オネジ部
５  内蓋
５１  閉鎖板部
５２  連結部
５３  吐出口部
５３ａ  貫通穴部
５３ｂ  ノズル部
５３ｃ  通路
５３ｄ  外周部分
５３ｅ  内周部分
５４  凸部
５４ａ  凸部本体
５４ｂ  境界壁
５４ｃ延長壁
５５  凹部
６  キャップ本体
６１側壁部
６２メネジ部
６３天板部
６３ａ支持穴
６４支持部
６４ａ横支持部
６４ｂ下支持部
７  ピン台
７１台部
７２ピン部
７３軸部
８  上側規制部
９  下側規制部
Ｏ  軸線
Ｈ１上側規制部の突出長
Ｈ２下側規制部の突出長
Ｐ１ピン部の突出長
Ｓ  規制部同士の上下間隔
Ｇ  ピン部と吐出口部との上下間隔
Ｒ  交差角度
Ｔ  交差角度
Ｌ  リード
α  角度
β  角度
ｎ  回転数
【図１】
2015157640.tif 000003
【図２】
2015157640.tif 000004
【図３】
2015157640.tif 000005
【図４】
2015157640.tif 000006
【図５】
2015157640.tif 000007
【図６】
2015157640.tif 000008
【図７】
2015157640.tif 000009
【図８】
2015157640.tif 000010
【図９】
2015157640.tif 000011
【図１０】
2015157640.tif 000012